(57)【要約】【課題】  異なるサイズの植木鉢にも対応可能であり、コストも抑制できる植木鉢ホルダを提供する。【解決手段】  植物を植えた上広がり形状の植木鉢２を箱４に入れて運搬する際に該箱４の中に着脱自在に装填されて前記植木鉢２を固定する植木鉢ホルダ１であって、前記植木鉢２を支持する底面部３と、前記箱４の中への装填状態で前記底面部３から上方へ延びる一対の側面部５，５と、該各側面部５に形成されて前記植木鉢２の外周面の一部６を受け入れる開口部７と、を備え、該各開口部７が下から上へ向けて徐々に幅広となるように形成されている。【選択図】    図２
0003208425.tif 000002
【実用新案登録請求の範囲】
【請求項１】
植物を植えた上広がり形状の植木鉢を箱に入れて運搬する際に該箱の中に着脱自在に装填されて前記植木鉢を固定する植木鉢ホルダであって、前記植木鉢を支持する底面部と、前記箱の中への装填状態で前記底面部から上方へ延びる一対の側面部と、該各側面部に形成されて前記植木鉢の外周面の一部を受け入れる開口部と、を備え、該各開口部が下から上へ向けて徐々に幅広となるように形成されている、植木鉢ホルダ。
【請求項２】
前記植木鉢の外周面の前記一部に当接する弾性押さえ片を前記各側面部に備えている、請求項１に記載の植木鉢ホルダ。
【請求項３】
前記弾性押さえ片が前記各開口部の両側縁から上下に複数設けられ、隣接する上側弾性押さえ片と下側弾性押さえ片との間にスリットが形成されている、請求項２に記載の植木鉢ホルダ。
【請求項４】
前記スリットが上下に少なくとも二段形成され、上段スリットを画定する弾性押さえ片の下縁部が第一の植木鉢の上端部に当接する高さ位置に形成され、下段スリットを画定する弾性押さえ片の下縁部が前記第一の植木鉢よりも背丈の低い第二の植木鉢の上端部に当接する高さ位置に形成されている、請求項３に記載の植木鉢ホルダ。
【請求項５】
前記各弾性押さえ片の下縁部が、前記各弾性押さえ片の先端部から基端部に向けて下向きに傾斜するように形成されている、請求項４に記載の植木鉢ホルダ。
【請求項６】
前記一対の側面部と前記弾性押さえ片とが一枚の弾性板材によって連なって形成されている、請求項２，３，４又は５に記載の植木鉢ホルダ。
【請求項７】
折り返し部を介して下方へ延びる外側面部が前記各側面部の上端に連なって形成され、前記各外側面部は、前記箱の中への装填状態で該箱の内面又は箱の中に設けられる仕切りに当接する、請求項１乃至６のいずれか一項に記載の植木鉢ホルダ。
【請求項８】
前記箱への装填状態で前記各外側面部の下端が前記箱の内部底面又は前記植木鉢ホルダの前記底面部に当接する、請求項７に記載の植木鉢ホルダ。
【考案の詳細な説明】
【技術分野】
【０００１】
本考案は、植物が植えられた植木鉢を箱に入れて運搬する際に用いられる植木鉢ホルダに関するものである。
【背景技術】
【０００２】
植物を植えた植木鉢を箱に入れて運搬する際に、その箱に対して植木鉢を固定するための植木鉢ホルダとして、特許文献１に記載のものが知られている。この植木鉢ホルダは、ホルダ底面部と、このホルダ底面部に連結された一対の側面部とを備える。該各側面部は、植木鉢を挟んで植物の上方へ延びる。そして、前記側面部の少なくとも一方には、植木鉢の上部を固定する固定部が設けられる。
【０００３】
この固定部の具体例として、特許文献１では、植木鉢の上部の一部が嵌るような貫通孔３４，３６（特許文献１の第１図参照）や、植木鉢の上端を下方に押えるように側面部の内側に設けられる凸部７６，７８（特許文献１の第４図参照）が例示されている。
【先行技術文献】
【特許文献】
【０００４】
【特許文献１】実開平２−１６７２０号公報
【考案の概要】
【考案が解決しようとする課題】
【０００５】
しかしながら、特許文献１で例示されている前記固定部は、植木鉢の背丈に応じて配設位置が異なる態様であるので、植木鉢のサイズごとに植木鉢ホルダを準備する必要がある。このため、汎用性に欠け、使い勝手が悪いという問題がある。また、植木鉢のサイズごとに異なる植木鉢ホルダを準備することは、コスト高にもなる。
【０００６】
本考案は前記のような事情に鑑みてなされたもので、異なるサイズの植木鉢にも対応可能であり、コストも抑制できる植木鉢ホルダを提供しようとするものである。
【課題を解決するための手段】
【０００７】
前記課題を解決するため、本考案に係る植木鉢ホルダは、植物を植えた上広がり形状の植木鉢を箱に入れて運搬する際に該箱の中に着脱自在に装填されて前記植木鉢を固定する植木鉢ホルダであって、前記植木鉢を支持する底面部と、前記箱の中への装填状態で前記底面部から上方へ延びる一対の側面部と、該各側面部に形成されて前記植木鉢の外周面の一部を受け入れる開口部と、を備え、該各開口部が下から上へ向けて徐々に幅広となるように形成されていることを特徴とする（請求項１）。
【０００８】
本考案に係る植木鉢ホルダは、次のようにして使用する。植木鉢ホルダの底面部で植木鉢を支持させ、底面部から一対の側面部を上方へ延ばして箱に入れる。植木鉢ホルダの一対の側面部のそれぞれに形成される開口部によって植木鉢の外周面の一部が受け入れられ、各開口部の両側縁の少なくとも一部が植木鉢に当接することで、植木鉢が固定される。各開口部が下から上へ向けて徐々に幅広となるように形成されているので、上広がりの植木鉢であれば背丈が異なる植木鉢にでも対応できる。植木鉢のサイズごとに異なる植木鉢ホルダを準備する必要がないので、コストも抑制できる。
【０００９】
好適な実施の一形態として、前記植木鉢の外周面の前記一部に当接する弾性押さえ片を前記各側面部に備えている態様を例示する（請求項２）。この場合、開口部に受け入れられる植木鉢の外周面の一部が弾性押さえ片によって押さえられるので、植木鉢の固定状態がより安定的なものとなる。
【００１０】
好適な実施の一形態として、前記弾性押さえ片が前記各開口部の両側縁から上下に複数設けられ、隣接する上側弾性押さえ片と下側弾性押さえ片との間にスリットが形成されている態様を例示する（請求項３）。この場合、スリットの存在により、上側弾性押さえ片と下側弾性押さえ片とが別々の角度で植木鉢の外周面に当接するので、植木鉢の固定状態がより一層安定的なものとなる。
【００１１】
好適な実施の一形態として、前記スリットが上下に少なくとも二段形成され、上段スリットを画定する弾性押さえ片の下縁部が第一の植木鉢の上端部に当接する高さ位置に形成され、下段スリットを画定する弾性押さえ片の下縁部が前記第一の植木鉢よりも背丈の低い第二の植木鉢の上端部に当接する高さ位置に形成されている態様を例示する（請求項４）。
【００１２】
この場合、植木鉢ホルダを組み立てて第一の植木鉢をセットした状態において、上段スリットを確定する弾性押さえ片の下縁部が第一の植木鉢の上端部に当接する。また、植木鉢ホルダを組み立てて第二の植木鉢をセットした状態において、下段スリットを確定する弾性押さえ片の下縁部が第二の植木鉢の上端部に当接する。これにより、背丈が互いに異なる第一の植木鉢であっても第二の植木鉢であっても、運搬時における植木鉢ホルダ内での植木鉢の上下動を抑止することができる。
【００１３】
好適な実施の一形態として、前記各弾性押さえ片の下縁部が、前記各弾性押さえ片の先端部から基端部に向けて下向きに傾斜するように形成される態様を例示する（請求項５）。これにより、第一の植木鉢の上端部を上段スリットに挿入し易くなり、第二の植木鉢の上端部を下段スリットに挿入し易くなる。
【００１４】
好適な実施の一形態として、前記一対の側面部と前記弾性押さえ片とが一枚の弾性板材によって連なって形成されている態様を例示する（請求項６）。このようにすれば、弾性押さえ片の形成が容易である。弾性板材としては、段ボールや厚紙等の紙製板材や、プラスチック製板材を使用することができる。
【００１５】
好適な実施の一形態として、折り返し部を介して下方へ延びる外側面部が前記各側面部の上端に連なって形成され、前記各外側面部は、前記箱の中への装填状態で該箱の内面又は箱の中に設けられる仕切りに当接する態様を例示する（請求項７）。
【００１６】
好適な実施の一形態として、前記箱への装填状態で前記各外側面部の下端が前記箱の内部底面又は前記植木鉢ホルダの前記底面部に当接する態様を例示する（請求項８）。この場合、植木鉢ホルダを箱の中へ装填した状態において、各外側面部が箱の内面又は箱の中に設けられる仕切りに当接し、且つ、各外側面部の下端が箱の内部底面又は植木鉢ホルダの底面部に当接するので、各外側面部に連なる側面部の姿勢が箱の中でしっかりと固定される。このため、植木鉢ホルダによる植木鉢の固定状態もより堅固なものとなる。
【図面の簡単な説明】
【００１７】
【図１】本考案の実施の一形態に係る植木鉢ホルダの展開図である。
【図２】図１の植木鉢ホルダ及び該植木鉢ホルダを入れる箱の斜視図である。
【図３】図２の植木鉢ホルダを箱に入れた状態の断面図（図４のＩＩＩ−ＩＩＩ矢視断面図）である。
【図４】図３のＩＶ−ＩＶ矢視断面図である。
【図５】他の実施の形態に係る植木鉢ホルダの展開図である。
【図６】図５の植木鉢ホルダの使用状態の要部の斜視図である。
【図７】他の実施の形態に係る植木鉢ホルダの展開図である。
【図８】図７の植木鉢ホルダの使用状態の要部の側面図である。
【考案を実施するための形態】
【００１８】
以下、添付図面を参照して、本考案の実施の一形態について説明する。
【００１９】
本考案に係る植木鉢ホルダは、植物を植えた上広がり形状の植木鉢を箱に入れて運搬する際に、その箱の中に着脱自在に装填されて植木鉢を固定するためのものである。
【００２０】
図１及び図２に示すように、本考案の実施の一形態に係る植木鉢ホルダ１は、植木鉢２を支持する底面部３と、箱４の中への装填状態（植木鉢ホルダ１の組立状態）で底面部３から上方へ延びる一対の側面部５，５と、該各側面部５，５に形成されて植木鉢２の外周面の一部６を受け入れる開口部７と、を備え、該各開口部７が下から上へ向けて徐々に幅広となるように形成されている。
【００２１】
図１に示すように、底面部３は、幅広十文字形の平面形状を有し、中央部にて植木鉢２を支持する。底面部３の両側（図１で見て左右両側）に連なるように一対の側面部５，５が形成される。各側面部５は、底面部３の互いに平行に対向する縁部８，８に連続させて形成されている。各側面部５は、植木鉢ホルダ１の組立状態において、底面部３から起立させられる。各側面部５の幅方向の中央部には、等脚台形状の開口部７が形成される。各開口部７は、各側面部５の起立状態において、下から上へ向けて徐々に幅広となる形状である。底面部３のうち、側面部５が形成されていない両側中央部の延び出し片９，９は、植木鉢ホルダ１の展開状態で開口部７内へと延びている。底面部３全体の大きさは、植木鉢２を運搬するための箱４の四角形の内底にぴったりと納まる大きさである。
【００２２】
図１に示す植木鉢ホルダ１の展開状態において、各側面部５の外端には、二つの折り返し部１０，１１を介して外側面部１２が連なって形成されている。各外側面部１２は、箱４の中への装填状態で箱４の内面１８に当接する。二つの折り返し部１０，１１同士の間には中間連結片１３があり、この中間連結片１３には指掛け孔１４が形成されている。この指掛け孔１４を設けることで、植木鉢ホルダ１を箱４に入れたり箱４から出したりする際に、植木鉢ホルダ１を保持する作業員の指が滑ってしまうことが防止できる。各側面部５に形成される開口部７は、植木鉢ホルダ１の組立状態において、底面部３から中間連結片１３に至るまで延びている。
【００２３】
各外側側面部１２の長さは、植木鉢ホルダ１を組み立てて箱４の中に装填した状態において、各外側面部１２の下端１２ａが箱４の内部底面又は植木鉢ホルダ１の底面部３に当接する長さとするのが好ましい。このようにすれば、後で図３を参照して説明するように、中間連結片１３を介して外側面部１２に連なる側面部５の姿勢が箱４の中でしっかりと固定される。このため、植木鉢ホルダ１による植木鉢２の固定状態もより堅固なものとなる。
【００２４】
植木鉢ホルダ１の素材としては、ダンボールや厚紙等の丈夫な紙板を用いると、軽量で安価に作製できて好ましい。その他、プラスチック板を用いることもできる。植木鉢ホルダ１の全体を一枚の紙板や一枚のプラスチック板から裁断すると製造及び組立が簡単で好適であるが、各部材を切れ込み等で嵌合して組み立ててもよく、また、接着剤やバインダ等で接続してもよい。
【００２５】
植木鉢ホルダ１の全体を一枚のダンボールから裁断する場合には、図１に示すように、ダンボールの中芯の溝１５が植木鉢ホルダ１の展開状態において植木鉢ホルダ１の長さ方向に延びるように裁断するのがよい。このようにすれば、植木鉢ホルダ１の組立状態においてダンボールの中芯の溝１５が底面部３から各側面部５及び各外側面部１２へと延びることになる。よって、底面部３と各側面部５との間の折り曲げ部１６と、各側面部と各外側面部との間の折り曲げ部（二つの折り返し部）１０，１１とが、いずれも強靭なものとなり好適である。また、植木鉢２の外周面を支える側面部５にも強靭性が付与されることになる。
【００２６】
以上のような構成の植木鉢ホルダ１は、次のように使用する。図２に示すように、底面部３から各側面部５を起立させ、各側面部５から中間連結片１３を水平方向外方に折り曲げ、中間連結片１３から各外側面部１２を下向きに折り曲げる。そして、植木鉢２を植木鉢ホルダ１の底面部３の中央に置く。この状態において、植木鉢ホルダ１の各側面部５に形成された開口部７が植木鉢２の外周面の一部６を受け入れる。
【００２７】
次に、植木鉢ホルダ１を植木鉢２と共に図２の矢印Ａ方向に移動させ、箱４の中に入れる。この箱４の中に入れた状態が、図３及び図４に示されている。
【００２８】
図３に示すように、植木鉢ホルダ１を植木鉢２と共に箱４の中に入れた状態では、植木鉢ホルダ１の底面部３が箱４の内部底面１７に密着する。植木鉢ホルダ１の底面部３が箱４の内底にぴったりと納まる大きさであるので、箱４の中で植木鉢ホルダ１が水平方向に位置ずれすることが防止される。植木鉢ホルダ１の各外側面部１２は箱４の内面１８に当接し、且つ、各外側面部１２の下端１２ａが箱４の内部底面１７又は植木鉢ホルダ１の底面部３に当接する。このため、植木鉢ホルダ１の各側面部５の姿勢が箱４の中でしっかりと固定される。植木鉢ホルダ１の側面部５のそれぞれに形成される開口部７によって植木鉢２の外周面の一部６が受け入れられ、各開口部７の両側縁の少なくとも一部が植木鉢２に当接することで、植木鉢２がしっかりと固定される。よって、輸送の際に箱４の中で植木鉢２が移動したり倒れたりすることがなく、植木鉢２に植えられた植物の損傷も防止できる。
【００２９】
各開口部７が下から上へ向けて徐々に幅広となるように形成されているので、図３及び図４に一点鎖線で示すように、上広がりの植木鉢であれば背丈が異なる植木鉢２０にでも対応できる。植木鉢２，２０のサイズごとに異なる植木鉢ホルダ１を準備する必要がないので、コストも抑制できる。
【００３０】
図２及び図３の例では、組立状態における植木鉢ホルダ１の背丈が植木鉢ホルダ１を入れる箱４の背丈とほぼ同じとされている。このため、箱４の中で植木鉢ホルダ１が上下に移動することも防止できる。但し、上下移動の防止を考慮に入れなくて良いとすれば、植木鉢ホルダ１の背丈よりも背丈の大きい箱４を使用することも可能である。植木鉢ホルダ１の背丈を箱４の背丈よりも小さくすれば、植木鉢ホルダ１を作製するための材料費が節約できる利点がある。
【００３１】
図示例の植木鉢ホルダ１は、一枚のダンボールを折り曲げるだけなので、使用時には簡単に組み立てることができ、使用後も簡単に一枚の平らな板材となるので処分も容易である。
【００３２】
植木鉢ホルダ１は、植木鉢２を一個ずつ箱４に入れる場合以外に、大きな箱を仕切って、その仕切りの中にそれぞれ植木鉢２を入れて運ぶ場合にも使用することができる。この場合には、植木鉢ホルダ１の外側面部１２は、大きな箱の内面又は前記仕切りに当接する。
【００３３】
他の実施の形態として、図５に示す植木鉢ホルダ２１を採用することもできる。図５の例は、図１の植木鉢ホルダ１に弾性押さえ片２４を追加したものである。弾性押さえ片２４は、植木鉢ホルダ２１の組立状態において、各側面部５に形成した開口部７の両側縁から水平方向に延びる。そして、弾性押さえ片２４は、図６に示すように、植木鉢ホルダ２１によって保持される植木鉢２の外周面の一部６に弾性的に当接して、植木鉢２の固定状態をより安定化させることに貢献する。
【００３４】
弾性押さえ片２４は、植木鉢ホルダ２１の側面部５と一体に形成する。側面部５と弾性押さえ片２４とが一枚の弾性板材によって連なって形成される態様とすると、弾性押さえ片２４の形成及び植木鉢ホルダ２１の組立が容易であり好適である。すなわち、弾性押さえ片２４を備える状態で植木鉢ホルダ２１の全体を一枚の紙板や一枚のプラスチック板から裁断する。この場合、紙板やプラスチック板自体が有する弾性によって弾性押さえ片２４の弾性が確保される。
【００３５】
弾性押さえ片２４は、植木鉢ホルダ２１の組立状態において、各側面部５に形成される開口部７の両側縁から上下に複数設けられ、隣接する上側弾性押さえ片２２と下側弾性押さえ片２３との間にスリット２５が形成されている態様とするのが好ましい。この場合、スリット２５の存在により、上側弾性押さえ片２２と下側弾性押さえ片２３とが別々の角度で植木鉢２の外周面に当接するので、植木鉢２の固定状態がより一層安定的なものとなる。
【００３６】
なお、植木鉢２の上縁部の位置が上側弾性押さえ片２２の下縁部の高さ位置と一致する場合には、組み立て状態の植木鉢ホルダ２１内に植木鉢２をセットしたときに、上側弾性押さえ片２２の下縁部が植木鉢２の上端部に当接することになる。これにより、運搬時における植木鉢ホルダ２１内での植木鉢２の上下動を抑止することができる。
【００３７】
図７，図８には、本考案のさらに他の実施の形態の植木鉢ホルダ２６が示されている。この実施の形態は、図５及び図６の例に対して、弾性押さえ片とスリットの配設数を増加させたものである。
【００３８】
図７，図８の例では、弾性押さえ片２７，２８，２９を上下に三段設け、隣接する上段弾性押さえ片２７と中段弾性押さえ片２８との間に上段スリット３０を設け、それと同様に、隣接する中段弾性押さえ片２８と下段弾性押さえ片２９との間に下段スリット３１を設けてある。そして、植木鉢ホルダ２６の組立状態において、上段弾性押さえ片２７の下縁部２７ａが第一の植木鉢２の上端部２ａに当接し、中段弾性押さえ片２８の下縁部２８ａが第二の植木鉢２０の上端部２０ａに当接するように、第一の植木鉢２の背丈と第二の植木鉢２０の背丈との関係で上側弾性押さえ片２７と中側弾性押さえ片２８との形成位置を設定してある。
【００３９】
図７の植木鉢ホルダ２６によれば、図８に示すように、植木鉢ホルダ２６を組み立てて第一の植木鉢２をセットした状態において、上段弾性押さえ片２７の下縁部２７ａが第一の植木鉢２の上端部２ａに当接する。また、植木鉢ホルダ２６を組み立てて第二の植木鉢２０をセットした状態において、中段弾性押さえ片２８の下縁部２８ａが第二の植木鉢２０の上端部２０ａに当接する。これにより、背丈が互いに異なる第一の植木鉢２であっても第二の植木鉢２０であっても、運搬時における植木鉢ホルダ２６内での植木鉢の上下動を抑止することができる。植木鉢ホルダ２６に第一の植木鉢２をセットした場合には、中段弾性押さえ片２８と下段弾性押さえ片２９が第一の植木鉢２の外周面の一部６に弾性的に当接して、第一の植木鉢２の固定状態をより安定化させることに貢献する。同様に、植木鉢ホルダ２６に第二の植木鉢２０をセットした場合には、下段弾性押さえ片２９が第二の植木鉢２０の外周面の一部６に弾性的に当接して、第二の植木鉢２０の固定状態をより安定化させることに貢献する。
【００４０】
図７，図８の例では、上段弾性押さえ片２７の下縁部２７ａと中段弾性押さえ片２８の下縁部２８ａが、植木鉢ホルダ２６の組立状態において水平方向に延びる各押さえ片２７，２８の先端部２７ｂ，２８ｂから基端部２７ｃ，２８ｃに向けて下向きに傾斜するように形成されている（図８参照）。これにより、第一の植木鉢２の上端部２ａを上段スリット３０に挿入し易く、第二の植木鉢２０の上端部２０ａを下段スリット３１に挿入し易い。但し、これには限定されず、図５，図６の例と同様に、植木鉢ホルダ２６の組立状態において弾性押さえ片２７，２８の下縁部２７ａ，２８ａが水平方向に延びるように形成することもできる。
【００４１】
また、弾性押さえ片２７，２７，２９とスリット３０，３１の配設段数を、図７，図８の例より多くすることも可能である。弾性押さえ片とスリットの配設段数をより多くすることで、第一及び第二の植木鉢２，２０とは背丈の異なる第三以降の植木鉢についても、運搬時における植木鉢ホルダ内での上下動を抑止することができる。
【００４２】
なお、上述の全ての実施の形態において、植木鉢ホルダ１，２１，２６と箱４の図示例は、本考案の実施の形態を説明するための単なる例示であり、それぞれの大きさや各部の比率が異なる様々な態様のものを採用することができる。
【符号の説明】
【００４３】
１    植木鉢ホルダ
２    植木鉢（第一の植木鉢）
３    底面部
４    箱
５，５  一対の側面部
６    植木鉢の外周面の一部
７    開口部
１０，１１  折り返し部
１２  外側面部
１２ａ  外側面部の下端
１７  箱の内部底面
１８  箱の内面
２０  植木鉢（第二の植木鉢）
２２  上側弾性押さえ片
２３  下側弾性押さえ片
２４  弾性押さえ片
２５  水平方向のスリット
２７，２８  弾性押さえ片
２７ａ，２８ａ  弾性押さえ片の下縁部
２７ｂ，２８ｂ  弾性押さえ片の先端部
２７ｃ，２８ｃ  弾性押さえ片の基端部
３０  上段スリット
３１  下段スリット
【図１】
0003208425.tif 000003
【図２】
0003208425.tif 000004
【図３】
0003208425.tif 000005
【図４】
0003208425.tif 000006
【図５】
0003208425.tif 000007
【図６】
0003208425.tif 000008
【図７】
0003208425.tif 000009
【図８】
0003208425.tif 000010